(57)【要約】【課題】不正にメダルの投入を行うゴト行為を防止する。【解決手段】メダル通路には、発光された光を受光するか否かによって、メダル通路をメダルが転動したか否かを検知する第１、第２メダルセンサ７５，７６が設けられている。これらメダルセンサ７５，７６で使用する光が通過する導光孔６６，６７を遮蔽する、或いは露呈するシャッタを設ける。シャッタ５５にはメダル通路に突出する当接片６４，６５が設けられており、これら当接片６４，６５がメダルの外周と当接することによってシャッタ５５を移動させ、導光孔６６，６７を露呈させる。また、このシャッタ５５がメダルによって最大移動位置まで移動したことを検知するシャッタ検知センサ７８を設け、メダルセンサ７５，７６及びシャッタ検知センサ７８の出力によって、正規のメダルが投入されたか否かを判定する。【選択図】        図７
2006247049.tif 000002
【特許請求の範囲】
【請求項１】
投入されたメダルを通過させるメダル通路と、
前記メダル通路を構成する壁面のうち、メダルの両面の一方に対峙する面に設けられ、前記メダル通路を通過するメダルを該メダルの通過毎に検知する光センサと、
前記光センサを遮蔽する遮蔽位置と、該遮蔽位置から所定量離れた最大移動位置との間で移動し、前記遮蔽位置から最大移動位置に移動する途中で前記光センサを露呈する遮蔽部材と、前記遮蔽部材を前記遮蔽位置に向けて付勢する付勢手段と、前記遮蔽部材に設けられ、一端が前記メダル通路に向けて突出し、該メダル通路を通過するメダルの外周に当接することで、前記遮蔽部材とともに前記閉じ位置から最大移動位置まで退避する突起と、を備えたシャッタ装置と、
前記最大移動位置まで移動した前記遮蔽部材を検知するシャッタ検知センサと、
前記光センサ及びシャッタ検知センサからの検知信号に基づいて不正行為が行われているか否かを判定する判定手段と、を備えたことを特徴とする不正検出装置。
【請求項２】
前記突起は、前記光センサの上流側及び下流側に設けられ、
前記光センサの上流側に設けられた突起が前記メダル通路を通過するメダルの外周に当接することによって前記最大移動位置まで移動された前記遮蔽部材が、前記付勢手段の復帰力を受けて前記遮蔽位置に向けて移動したときに下流側に設けられた突起が前記メダルの外周に当接することによって、前記遮蔽部材を前記最大移動位置と前記遮蔽位置との間であり、且つ前記光センサを露呈する位置に保持した後に、前記下流側に設けられた突起とメダルの外周との当接によって前記遮蔽部材を再度最大移動位置まで移動させるとともに、
前記メダル通路を連続して複数のメダルが通過するときに、先行するメダルと後続するメダルとによって生じる隙間に前記突起のそれぞれが位置したときに、前記上流側に設けられた突起が後続するメダルの外周に当接し、前記遮蔽部材を前記最大移動位置と前記遮蔽位置との間であり、且つ前記光センサを露呈する位置に保持した後に、後続するメダルの外周と上流側に設けられた突起との当接によって、前記遮蔽部材を最大移動位置まで移動させるように、前記上流側に設けられる突起と、前記下流側に設けられる突起とを間隔を空けて配置したことを特徴とする請求項１記載の不正検出装置。
【請求項３】
前記突起は、前記メダル通路を通過するメダルが当接されたときに、該メダルの勢いによって、前記遮蔽部材を最大移動位置まで移動させる斜面と、前記メダル通路の内部をメダルが逆流することを防止する逆流防止面とを備えていることを特徴とする請求項１又は２記載の不正検出装置。
【請求項４】
請求項１〜３いずれかの不正検出装置を備えたことを特徴とする遊技機。
【発明の詳細な説明】
【技術分野】
【０００１】
本発明は、メダル投入時に不正行為が行われたか否かを検出する不正検出装置、及びこれを用いた遊技機に関するものである。
【背景技術】
【０００２】
パチンコ店などの遊技場に設置して使用されるスロットマシンはパチスロ機と称され、その遊技媒体となるメダルに一定の価値が与えられて、ゲーム（遊技）を行って獲得したメダルを種々の景品に交換することができる。なお、遊技媒体には、上記メダルの他に、コインやパチンコ玉、或いは、スロットマシン専用のカード等も含まれるが、本明細書中では、メダルを例にして説明する。また、メダルの投入には、メダルをメダル投入口から投入することの他に、クレジットされたメダルを使用する場合も含まれるが、本明細書中では、「メダルの投入」は、メダルをメダル投入口から投入することを例にして説明する。
【０００３】
このようなスロットマシンにおいて、メダル投入口からメダルを投入すると、投入されたメダルが正規であるか否かの判定（真贋判定）が行われ、正規ではないメダルがスロットマシンに設けられたメダル受け皿へと排出されるようになっている（特許文献１）。このようなスロットマシンは、スロットマシンの内部にセレクタと呼ばれるメダル振り分け装置が設けられ、このセレクタによって投入されたメダルの真贋を選別することが一般的に行われている。このセレクタは、略Ｌ字状に屈曲されたメダル通路を備えている。例えば投入されたメダルが正規なメダルの場合には、メダル通路の内部を案内され、ホッパー装置の貯留タンク内へと案内される。この際、セレクタに設けられた光電センサによって検知される。一方、投入されたメダルが、正規なメダルとは大きさの異なるメダルや、不適切なタイミングで投入されたメダルである場合は、セレクタに設けられたメダル通路から逸脱し、最終的にメダル受け皿に払い出されることになる。
【特許文献１】特開２００２−２６００４８号公報
【発明の開示】
【発明が解決しようとする課題】
【０００４】
ところで、近年、正規の方法とは異なる方法によってメダルの投入を行う、いわゆる、ゴト行為が行われることがある。このゴト行為の一つとして、例えば略Ｌ字形状に屈曲した板の先端部に複数のＬＥＤを直列に配置したゴト器具を、メダル投入口からメダル通路の屈曲方向に沿うように挿入させることが挙げられる。この場合、前記複数のＬＥＤを光電センサと対面させた後に、これらＬＥＤを点滅させる。なお、複数のＬＥＤは、それぞれ異なるタイミングでの点滅制御を行って、メダルが通過したことを光電センサに誤って検知させる。これにより、実際にはメダル投入口からメダルを投入してはいないが、スロットマシンの内部ではメダルが投入されていることになる。例えば上記行為を複数回行うことで、メダルのクレジットが行われることになり、ゴト器具を用いたメダルの投入を行う遊技者は、クレジットされたメダルを引き出す、あるいは、投入したメダルによって遊技を行うなどの行為によって不正に利益を得ることができる。
【０００５】
このようなゴト行為によって一部の遊技者が不正に利益を得ることは遊技場の利益に損失が生じさせ、遊技者に、公平な遊技を行うことができないことを理由に遊技に対する興味を失わせることになる。これにより、ゴト行為を防止することは、遊技場の管理者だけではなく、遊技場にスロットマシン提供しているメーカーにとっても最大の課題の１つとなっているが、ゴト行為を防止するための有効な対策が行われていないのが実情である。
【０００６】
本発明は、上記課題を解決するためになされたものであり、不正にメダルの投入を行うゴト行為を防止することができるようにした不正検出装置、及びこれを用いた遊技機を提供することを目的とする。
【課題を解決するための手段】
【０００７】
上記目的を達成するために、本発明の不正検出装置は、投入されたメダルを通過させるメダル通路と、前記メダル通路を構成する壁面のうち、メダルの両面の一方に対峙する面に設けられ、前記メダル通路を通過するメダルを該メダルの通過毎に検知する光センサと、前記光センサを遮蔽する遮蔽位置と、該遮蔽位置から所定量離れた最大移動位置との間で移動し、前記遮蔽位置から最大移動位置に移動する途中で前記光センサを露呈する遮蔽部材と、前記遮蔽部材を前記遮蔽位置に向けて付勢する付勢手段と、前記遮蔽部材に設けられ、一端が前記メダル通路に向けて突出し、該メダル通路を通過するメダルの外周に当接することで、前記遮蔽部材とともに前記閉じ位置から最大移動位置まで退避する突起と、を備えたシャッタ装置と、前記最大移動位置まで移動した前記遮蔽部材を検知するシャッタ検知センサと、前記光センサ及びシャッタ検知センサからの検知信号に基づいて不正行為が行われているか否かを判定する判定手段と、を備えたことを特徴とする。なお、メダルの両面とは、メダルが円盤形状からなる場合に、メダルの径方向に沿う面を示す。また、メダルの外周とは、メダルの外周面の他に、メダルの径方向に沿う面と、メダルの外周面との稜線を含むものとする。
【０００８】
また、前記突起は、前記光センサの上流側及び下流側に設けられ、前記光センサの上流側に設けられた突起が前記メダル通路を通過するメダルの外周に当接することによって前記最大移動位置まで移動された前記遮蔽部材が、前記付勢手段の復帰力を受けて前記遮蔽位置に向けて移動したときに下流側に設けられた突起が前記メダルの外周に当接することによって、前記遮蔽部材を前記最大移動位置と前記遮蔽位置との間であり、且つ前記光センサを露呈する位置に保持した後に、前記下流側に設けられた突起とメダルの外周との当接によって前記遮蔽部材を再度最大移動位置まで移動させるとともに、前記メダル通路を連続して複数のメダルが通過するときに、先行するメダルと後続するメダルとによって生じる隙間に前記突起のそれぞれが位置したときに、前記上流側に設けられた突起が後続するメダルの外周に当接し、前記遮蔽部材を前記最大移動位置と前記遮蔽位置との間であり、且つ前記光センサを露呈する位置に保持した後に、後続するメダルの外周と上流側に設けられた突起との当接によって、前記遮蔽部材を最大移動位置まで移動させるように、前記上流側に設けられる突起と、前記下流側に設けられる突起とを間隔を空けて配置したことが好ましい。
【０００９】
また、前記突起は、前記メダル通路を通過するメダルが当接されたときに、該メダルの勢いによって、前記遮蔽部材を最大移動位置まで移動させる斜面と、前記メダル通路の内部をメダルが逆流することを防止する逆流防止面とを備えていることが好ましい。
【００１０】
また、本発明の遊技機としては、上述した不正検出装置を備えたものである。
【発明の効果】
【００１１】
本発明の不正検出装置によれば、投入されたメダルを通過させるメダル通路と、前記メダル通路を構成する壁面のうち、メダルの両面の一方に対峙する面に設けられ、前記メダル通路を通過するメダルを該メダルの通過毎に検知する光センサと、前記光センサを遮蔽する遮蔽位置と、該遮蔽位置から所定量離れた最大移動位置との間で移動し、前記遮蔽位置から最大移動位置に移動する途中で前記光センサを露呈する遮蔽部材と、前記遮蔽部材を前記遮蔽位置に向けて付勢する付勢手段と、前記遮蔽部材に設けられ、一端が前記メダル通路に向けて突出し、該メダル通路を通過するメダルの外周に当接することで、前記遮蔽部材とともに前記閉じ位置から最大移動位置まで退避する突起と、を備えたシャッタ装置と、前記最大移動位置まで移動した前記遮蔽部材を検知するシャッタ検知センサと、前記光センサ及びシャッタ検知センサからの検知信号に基づいて不正行為が行われているか否かを判定する判定手段と、を備えたから、例えば正規のメダルが投入された場合には、光センサやシャッタ検知センサによって正規の検出が行われるのに対して、例えば正規でないメダルが排出されずに検出された場合や、ゴト器具を使用した不正行為を行った場合には、光センサのみの検知信号しか出力されない、或いはシャッタ検知センサからの検知信号が出力されたとしても、その検知信号の出力が正規のメダルが投入された場合と異なるから、正規のメダルを使用せずに、ゴト器具を使用して、不正にメダルの投入を行わせようとする行為を防止することが可能となる。また、略Ｌ字形状に屈曲した板が薄い板からなるゴト器具を用いて上述したゴト行為を行おうとする場合には、仮に、板の先端が光センサの位置まで届いたとしても、光センサが遮蔽部材によって被覆されているから、光センサによってゴト器具の検出が行えないので、ゴト器具を用いたゴト行為を防止することが可能となる。
【００１２】
また、前記突起は、前記光センサの上流側及び下流側に設けられ、前記光センサの上流側に設けられた突起が前記メダル通路を通過するメダルの外周に当接することによって前記最大移動位置まで移動された前記遮蔽部材が、前記付勢手段の復帰力を受けて前記遮蔽位置に向けて移動したときに下流側に設けられた突起が前記メダルの外周に当接することによって、前記遮蔽部材を前記最大移動位置と前記遮蔽位置との間であり、且つ前記光センサを露呈する位置に保持した後に、前記下流側に設けられた突起とメダルの外周との当接によって前記遮蔽部材を再度最大移動位置まで移動させるとともに、前記メダル通路を連続して複数のメダルが通過するときに、先行するメダルと後続するメダルとによって生じる隙間に前記突起のそれぞれが位置したときに、前記上流側に設けられた突起が後続するメダルの外周に当接し、前記遮蔽部材を前記最大移動位置と前記遮蔽位置との間であり、且つ前記光センサを露呈する位置に保持した後に、後続するメダルの外周と上流側に設けられた突起との当接によって、前記遮蔽部材を最大移動位置まで移動させるように、前記上流側に設けられる突起と、前記下流側に設けられる突起とを間隔を空けて配置したから、正規のメダルを投入するときに、複数枚連続して投入した場合、或いはランダムに投入された場合であっても、投入された１枚１枚のメダルに対して、シャッタ検知センサからの検知信号が同一数出力されることになる。これにより、例えばゴト器具を使用して不正にメダルが投入された場合には、シャッタ検知センサからの検知信号は、連続して出力される、光センサからの検知信号は出力されるがシャッタ検知手段からの検知信号は出力されない、或いは光センサからの検知信号が、正規のメダルが投入されたときと同一のタイミングで出力されるが、シャッタ検知センサからの検知信号が光センサの出力に対して一定しないことになるので、正規のメダルが投入された場合と、ゴト器具を用いて不正にメダルを投入する場合とを明確に差別化することができる。
【００１３】
また、前記突起は、前記メダル通路を通過するメダルが当接されたときに、該メダルの勢いによって、前記遮蔽部材を最大移動位置まで移動させる斜面と、前記メダル通路の内部をメダルが逆流することを防止する逆流防止面とを備えているから、例えば、ゴト器具の先端部の幅が、他の箇所の幅よりも長い形状となる場合には、ゴト器具の先端部が突起の逆流防止面に引掛かることになるので、ゴト器具をメダル投入口から抜き出すことができなくなる。これにより、周囲の遊技者に、ゴト行為を行っていたことが認識されやすくなり、ゴト行為が行われることを未然に防ぐことができるようになる。
【発明を実施するための最良の形態】
【００１４】
図１に示すように、スロットマシン２は、収納箱４と、この収納箱４の前面に設けられた前面扉５とからなる筐体３の内部に、第１リール１０、第２リール１１、第３リール１２、ホッパー装置３５（図２参照）、電源装置３６（図２参照）等が配設された構成となっている。
【００１５】
前面扉５は、上部扉６と下部扉７との２枚の扉から構成される。上部扉６には表示窓８が設けられている。表示窓８の奥には第１リール１０、第２リール１１、第３リール１２が配設されている。周知のように、第１リール１０、第２リール１１、第３リール１２の外周には例えば複数種類の図柄が一定間隔で複数個配列されている。これらリールが停止すると、１リール当たり３個の図柄が表示窓８を通して表示され、第１リール１０、第２リール１１、第３リール１２の全てのリールが停止した場合には、計９個の図柄が表示窓８を介して表示される。
【００１６】
この表示窓８の側方には、液晶表示装置１５が設けられている。この液晶表示装置１５は、遊技の実行の際にアニメーション表示を用いた演出を行ったり、遊技が行われていない場合のデモ表示等を行う。
【００１７】
下部扉７の上部には、遊技の開始時に操作される１枚ベットボタン２０、ＭＡＸベットボタン２１、ペイアウトボタン２２などの各種の操作ボタンが設けられる。なお、これらのボタンの機能はいずれも周知であるので、その詳細については省略する。また、これらボタンの近傍には、メダルベットが行われた後に操作されるスタートレバー２３や、回転するリールを停止させる第１ストップボタン２５、第２ストップボタン２６、第３ストップボタン２７が設けられる。なお、メダルベットとは、メダル投入口３０からメダル１２０（図８参照）を投入した後に、或いはクレジットされたメダル５０（図３参照）を用いて、１ベットボタン２０、或いはＭＡＸベットボタン２１を押圧操作することによって行われるものである。
【００１８】
下部扉７の上部には、上述したボタンやレバーの他に、メダル５０を投入するメダル投入口２８が設けられている。また、下部扉７の下部には、入賞を得た場合に、メダル５０が払い出される払い出し口２９や、該払い出し口２９から払い出されたメダル５０を貯留するメダル受け皿３０が設けられる。
【００１９】
図２に示すように、下部扉７を開けると、収納箱４の下部に設けられたホッパー装置３５、電源装置３６等が露呈される。ホッパー装置３５は、スロットマシン２における遊技で入賞した場合に入賞に応じた払い出し枚数のメダル５０を払い出す。また、クレジットされたメダル５０があるときにペイアウトボタン２２が押圧操作された場合に作動し、クレジットされたメダル５０を、そのクレジット枚数分払い出す。このホッパー装置３５の上部には、メダル５０を貯留する貯留タンク３７が設けられ、後述するメダルセレクタ４０を通過した正規なメダル５０がこの貯留タンク３７に貯留される。
【００２０】
一方、開けられた下部扉７の後面には、メダルセレクタ４０や、メダルセレクタ４０によって不正規であると判断されたメダルや、ホッパー装置３５から排出されたメダルが案内される排出通路（図示せず）が設けられる。
【００２１】
図３に示すように、メダルセレクタ（不正検出装置）４０は、本体基部４５、振分装置４６、シャッタ装置４７の他に、後述する第１メダルセンサ（図６参照）７５、第２メダルセンサ（図６参照）７６、シャッタ検知センサ（図６参照）７８から構成されている。本体基部４０は樹脂で形成されている。本体基部４５には、導電性の部材からなるメダル５０の直径よりも幅がやや広い溝からなるメダル通路５１が形成されている。メダルセレクタ４０が下部扉７に取り付けられると、メダル通路５１のメダル入口４５ａはメダル投入口２８と連通するようになっており、メダル投入口２８から投入されたメダル５０はメダル入口４５ａからメダル通路５１の内部に送り込まれる。メダル通路５１は、略Ｌ字形に屈曲するように形成されており、メダル入口４５ａからメダル通路５１に送り込まれたメダル５０は、メダル通路５１の屈曲した部分まで落下した後に、その進行方向が、落下方向（図３中Ａ方向）と略直交した方向（図３中Ｂ方向）に変化するようになっている。なお、このメダル通路５１のメダル入り口４５ａに連通する端部は、長方筒形状となっており、落下するメダル５０が、メダル通路５１から逸脱することを防止している。
【００２２】
本体基部４５のメダル通路５１を形成する一方の壁面で、メダル入口４５ａから見てメダル通路５１の屈曲した部分よりも下流側のメダル通路５１の上方には、振分装置取付部４５ｂが設けられている。振分装置取付部４５ｂは、前記壁面の上方部に、凹状の溝空間を形成し、この溝空間にメダル通路５１に臨むように振分装置４６が設けられている。
【００２３】
振分装置４６は、本体基部４５の壁面に取り付けられる取り付け板５２、取り付け板５２に図３中Ｃ方向、或いはＤ方向に回動自在に取り付けられる回動板５３、この回動板５３に励磁作用を与えて回動させるソレノイド１２０（図８参照）及び回動板５３を付勢するバネ（図示せず）から構成されている。
【００２４】
取り付け板５２及び回動板５３は、金属製の薄板で形成されている。取り付け板５２は矩形状に形成されており、本体基部４５の振分装置取付部４５ｂの壁面と直交して突出するように本体基部４５に取り付けられている。回動板５３は、下方に向かって広がる略Ｔ字状に形成されており、取り付け板５２の突出方向の先端を回動軸にして、振分装置取付部４５ｂの壁面と対面するように取り付け板５２に取り付けられている。回動板５３が取り付け板５２に取り付けられると、回動板の幅が広い部分であるメダル振り分け部５３ａと振分装置取付部４５ｂの壁面とによって、１枚のメダル５０が通過可能な隙間を形成する。メダル振り分け部５３ａが、振分装置取付部４５ｂの壁面と略平行に対峙した状態では、メダル振り分け部５３ａの下側端縁と、メダル５０の接触面となるメダル通路５１の底面との距離が、メダル５０の直径よりも短くなり、メダル５０の上部を支持できるように、回動板５３が取り付けられている。
【００２５】
これにより、メダル５０が正規の大きさの場合は、メダル振り分け部５３ａがメダル通路５１におけるメダル５０の転動を支持するため、メダル５０はメダル通路５１を通過可能となり、メダル案内部材５４によって貯留タンク３７に導かれる。一方、メダル５０が正規の大きさでない場合は、メダル振り分け部５３ａがメダル通路５１におけるメダル５０の転動を支持しないため、メダル５０が図３中Ｅ方向に落下して排出通路を介して払い出し口２９から排出される。
【００２６】
また、回動板５３は、前述したソレノイド１２０の励磁作用とバネの復元力によって、取り付け板５２の突出方向の先端を回動軸にして、メダル５０の通過を可能にする通過位置（図３中の実線で示す位置）と、メダル通路からメダルを図３中Ｅ方向に落下させる排出位置（図３中の二点鎖線で示す位置）との間で回動される。
【００２７】
スロットマシン２の電源がオンされると、ソレノイド１２０による励磁作用が働くことで、回動板５３の回動駆動が行われて通過位置にセットされる。これにより、メダル５０が正規の大きさであれば、メダル５０はメダル通路５１を通過可能となる。
【００２８】
また、メダル５０がクレジットされている枚数が貯留数上限（例えば、５０枚）に達している場合や、遊技を行っている最中（スタートレバー２３を操作して第１、第２、第３リール１０，１１，１２が回転してから、全てのリール１０，１１，１２が停止されるまでの状態）などにはソレノイド１２０の励磁作用が断たれ、回動板５３はバネの復元力によって通過位置から排出位置に回動される。これにより、メダル５０は、図３中Ｅ方向に落下して排出通路を介して払い出し口２９から払い出される。
【００２９】
シャッタ装置４７は、メダル通路５１の下流側端部に設けられている。図４、図５に示すように、シャッタ装置４７は、シャッタ（遮蔽部材）５５、コイルバネ（付勢手段）５６，５７から構成されている。シャッタ５５は、その下面が開口された溝部６０を備えた形状から構成されている。このシャッタ５５は、本体基部４５の開口５８の下方に設けられた導光孔６６，６７を、メダル通路５１を構成する壁面側から覆う第１遮蔽部６２、及び本体基部４５の裏側から遮蔽する第２遮蔽部６３を備えており、第１遮蔽部６２と、第２遮蔽部６３との間に前記溝部６０が設けられている。この溝部６０は、開口５８に連なる本体基部４５の壁面が挿通され、溝部６０を構成する壁面６０ａが、開口５８の内壁面のうちの下壁面５８ａに当接される。このとき、第１遮蔽部６２と第２遮蔽部６３とによって本体基部４５の導光孔６６，６７が遮蔽されている。なお、以下では、この状態となるシャッタ５５の位置を遮蔽位置として説明する。なお、以下では、溝部６０を構成する壁面６０ａと、開口５８の下壁面５８ａとが当接されたときのシャッタ５５の位置を遮蔽位置として説明する。
【００３０】
第１遮蔽部６２の外壁面には、当接片（突起）６４，６５が設けられている。当接片６４は、本体基部４５に設けられた導光孔６６よりも上流側に、当接片６５は本体基部４５に設けられた導通孔６７よりも下流側に配置され、それぞれの当接片６４，６５の先端部がメダル通路５１に突出している。
【００３１】
当接片６４の壁面であって、メダル通路５１の上流側となる壁面６４ａの先端部には、メダル通路５１の下流側に向けて傾斜する斜面６４ｂを備えている。この斜面６４ｂは、メダル通路５１を転動するメダル５０の外周と当接し、転動するメダル５０の勢いによって、シャッタ５５を図９中Ｆ方向に押し上げるために設けられている。また、この壁面６４ａとは反対側となる壁面６４ｃは長方形状から形成され、例えばメダル５０がメダル通路５１を逆流した場合に、メダル５０の逆流を防止する逆流防止面として機能する。なお、メダル通路５１を転動するメダル５０の外周は、当接片６４の斜面６４ｂ、斜面６４ｂ及び先端面６４ｄの稜線６４ｅ、先端面６４ｄの順で当接された後に、逆流防止面６４ｃと先端面６４ｄとの稜線６４ｆと当接する。そして、当接片６４の先端面６４ｄと、メダル５０の外周とが当接した場合に、シャッタ５５の移動量が最大となる。なお、シャッタ５５の移動量が最大となる位置を、以下では最大移動位置として説明する。
【００３２】
一方、当接片６５は、当接片６４と同様に、その先端部がメダル５０と当接することによってシャッタ５５を押し上げるための部材である。この当接片６５は、メダル通路５１の上流側の壁面６５ａの先端部がメダル通路５１の下流側に向けて傾斜した斜面６５ｂを備えている。また、当接片６５の先端面６５ｃと、メダル５０の外周が当接すると、遮蔽位置からのシャッタ５５の移動量が、当接片６４の先端面６４ａと当接した時のシャッタ５５の移動量と同一となる。また、当接片６５を構成する壁面６５ｄは、当接片６４の逆流防止片６４ｃと同様に、メダル５０の逆流を防止する逆流防止面である。
【００３３】
なお、メダル５０の外周と、当接片６４の逆流防止面６４ｃ及び端面６４ｄの稜線６４ｆとが当接したときに、シャッタ５５はコイルバネ５６，５７の復帰力によって遮蔽位置に向けて移動することになるが、遮蔽位置に向けて移動するシャッタ５５を前記導光孔６６，６７が露呈された位置で当接片６５の先端部がメダル５０の外周に当接するように、当接片６５が当接片６４に対して所定の間隔を空けて配置される。なお、当接片６５がメダル５０の外周と当接する箇所は、本実施形態の場合は、斜面６５ａ及び端面６５ｂとの稜線６５ｅとなるが、この他に、斜面６５ａにメダル５０の外周を当接させることも可能である。
【００３４】
第２遮蔽部６３の両側面にはガイド片６３ａ，６３ｂが設けられており、このガイド片６３ａ，６３ｂは、メダル通路５１を構成する壁面とは反対側となる壁面、つまり本体基部４５の裏側の壁面に設けられたガイドレール７０，７１の溝部７０ａ，７１ａにそれぞれ挿通される。これにより、シャッタ５５が移動した場合に、シャッタ５５の移動方向が規制される。
【００３５】
図６、図７に示すように、第１メダルセンサ（光センサ）７５は、メダルセレクタ４０の本体基部４５の裏面側に配置され、検知光を照射する発光部７５ａと、発光部７５ａからの検知光を受光する受光部７５ｂとから構成されている。なお、これら発光部７５ａ及び受光部７５ｂは、検知光の光軸が、導光孔６６の中心軸と一致するように配置されている。例えば、シャッタ５５が遮蔽位置にあるときや、メダル５０の通過時（図６参照）には、導光孔６６は遮蔽されるから、発光部７５ａからの検知光を受光部７５ｂにおいて受光することができない。これにより、第１メダルセンサ７５からの信号はオフとなる。一方、導光孔６６が露呈された場合（図７参照）には、発光部７５ａから照射された検知光は、導光孔６６を通過して受光部７５ｂで受光されることになる。これにより、第１メダルセンサ７５からの信号はオンとなる。
【００３６】
第２メダルセンサ（光センサ）７６は、第１メダルセンサ７５と同様に、発光部７６ａと受光部７６ｂとから構成されている。この第２メダルセンサ７６における検知方法は、第１メダルセンサ７５と同一のため、その説明を省略する。この第２メダルセンサ７６は、第１光センサ７５の下流側に、且つ、メダル５０の通過時に、第１メダルセンサ７５におけるメダル５０の検知が行われている際に、同一のメダル５０を検知できる位置に配置されている。なお、第２メダル先７６によるメダル５０の検知は、導光孔６７を利用して行われる。
【００３７】
シャッタ検知センサ７８は、上述したシャッタ５０が最大移動位置に位置したことを検知するものである。このシャッタ検知センサ７８は、メダルセレクタ４０の本体基部４５の裏面側に配置され、検知光を照射する発光部７８ａと、発光部７８ａからの検知光を受光する受光部７８ｂとから構成されている。図６に示すように、シャッタ５５が遮蔽位置にある場合には、発光部７８ａからの検知光は、開口５８を介して受光部７８ｂにて受光される。これにより、シャッタ検知センサ７８がオンとなる。一方、図７に示すように、シャッタ５５が最大移動位置にある場合には、発光部７８ａからの検知光がシャッタ５５によって遮断されることにより、受光部７８ｂにおいて検知光を受光することができない。この場合、シャッタ検知センサ７８はオフとなる。なお、シャッタ５５に位置検出片を設け、この位置検出片をシャッタ検知センサによって検知することによって、シャッタが最大移動位置にあることを検知することも可能である。
【００３８】
図８は、スロットマシン２の電気的構成を示す機能ブロック図である。スロットマシン２の遊技制御は、制御装置（不正検出装置）９０によって行われる。この制御装置９０は、ＣＰＵ９１、ＲＯＭ９２及びＲＡＭ９３を備えた構成となっている。ＣＰＵ９１は、ＲＯＭ９２に記憶された遊技制御プログラム９５に基づいて、遊技における処理を行う。
【００３９】
スタートスイッチセンサ９６は、スタートレバー２３の内部に設けられ、スタートレバー２３が操作されることによってオンとなり、そのオン信号（遊技開始信号）をＣＰＵ９１に向けて出力する。これを受けて、ＣＰＵ９１は第１リール１０、第２リール１１、第３リール１２の回転制御を行う。
【００４０】
第１リール１０、第２リール１１、第３リール１２の各リールの基準位置には、インデックス１０ａ，１１ａ，１２ａがそれぞれ設けられ、その一回転ごとにフォトセンサ１００，１０１，１０２によって、それぞれのインデックス１０ａ，１１ａ，１２ａの通過が光電検出される。フォトセンサ１００，１０１，１０２による検知信号は、リールごとのリセット信号としてＣＰＵ９１に出力される。なお、第１リール１０、第２リール１１、第３リール１２には、ステッピングモータ１０５，１０６，１０７の駆動軸がそれぞれ圧入されており、ステッピングモータ１０５，１０６，１０７の作動によって、これら第１リール１０、第２リール１１、第３リール１２が回転する。図８では、便宜上、第１リール１０とステッピングモータ１０５、第２リール１１とステッピングモータ１０６、第３リール１３とステッピングモータ１０７とをそれぞれ実線で囲って示してある。なお、符号１０８，１０９，１１０は、ステッピングモータ１００，１０１，１０２をそれぞれ駆動させるドライバである。
【００４１】
なお、ＣＰＵ９１には、ステッピングモータごとにパルスカウンタ（図示せず）が設けられ、各々のステッピングモータに供給された駆動パルスの個数を計数する。これにより、フォトセンサ１００，１０１，１０２からのリセット信号が入力されるたびにクリアされ、再びアップカウントされる。ＣＰＵ９１は、リールごとにパルスカウンタのカウント値を監視することによって、例えば中央の入賞有効ライン上にどの図柄が移動してきているのかを識別することができ、また、どの程度リールを回転させれば目的の図柄がその入賞有効ライン上に移動してくるのかを予測することができる。
【００４２】
第１ストップボタン２５、第２ストップボタン２６、第３ストップボタン２７の内部にはストップスイッチセンサがそれぞれ設けられており、各ストップスイッチセンサからのオン信号がＣＰＵ９１に入力されると、ＣＰＵ９１はＲＯＭ９２に記憶された図柄テーブル（図示せず）を参照して、目的の図柄が表示窓８から停止されるように、或いは、目的の図柄が表示窓から表示できない場合には他の図柄を表示させるように、対応するステッピングモータへ駆動パルスを供給した後に、駆動パルスの供給を致死する。そして、入賞が得られたときに、ＣＰＵ９１はホッパー装置３５を作動させ、入賞に対する枚数のメダルを払い出す。なお、符号１１２は液晶コントローラであり、液晶表示装置１５の表示画面に画像を表示させるために設けられている。
【００４３】
ＣＰＵ（判定手段）９１には、メダルセレクタ４０に設けられた第１メダルセンサ７５、第２メダルセンサ７６及びシャッタ検知センサ７８からの出力信号がそれぞれ入力される。ＣＰＵ９１は、ＲＯＭ９２に記憶された判定プログラム１１５を読み出しているから、入力される第１メダルセンサ７５、第２メダルセンサ７６及びシャッタ検知センサ７８からのオン信号から、投入されたメダル５０が実際のメダルであるか否かを判定する。そして、投入されたメダル５０が、実際のメダルであることが判定された場合は、そのメダルに対するベット処理を行う。一方、投入されたメダル５０が不正な操作、つまりゴト器具を用いて擬似的に投入されたものであることが判定された場合には、ＲＯＭ９２に記憶されたエラー判定プログラム１１６を読み出して、例えば液晶表示装置１５に警告表示を行う他に、図示しないスピーカによる警報音の再生を行う、或いはスロットマシン２に設けられたＬＥＤ等の電飾を、遊技における点灯・消灯制御とは異なる警報時の点灯・消灯制御を行う。また、遊技場に配設されたスロットマシン２の管理を行うホールコンピュータ（図示せず）へ警告信号を出力する。
【００４４】
また、ＣＰＵ９１は、何枚のメダルがクレジットされているかをＲＡＭ９３を参照して確認しており、例えば、ＲＡＭ９３に記憶されたクレジット枚数が５０枚に到達すると、ソレノイド１２０への給電を停止させる。これにより、メダル投入口２８からメダル５０が投入されたとしても、払い出し口２９からメダル５０が排出されることになる。
【００４５】
次に、本実施形態の作用について、図９〜図１３、及び図１４，１５のタイムチャートを基に説明する。なお、図９〜図１３については、図の煩雑さを防止するために、コイルバネ５６，５７を省略して示す。なお、メダル５０の投入が行われていない場合には、導光孔６６，６７はシャッタ５５の第１遮蔽部６２及び第２遮蔽部６３によって遮蔽された状態、つまりシャッタ５５が遮蔽位置に位置している。このため、第１メダルセンサ７５、第２メダルセンサ７６の受光部７５ｂ，７６ｂは、発光部７５ａ，７６ａからの検査光を受光できないので、第１メダルセンサ７５、第２メダルセンサ７６は、それぞれオフとなる。
【００４６】
遊技を行う際に遊技者がメダル投入口２８からメダル５０を投入すると、投入されたメダル５０は、メダル投入口２８からメダルセレクタ４０のメダル入口４５ａからメダルセレクタ４０に設けられたメダル通路５１へと落下する。メダル通路５１は、略Ｌ字状に屈曲しているから、メダル通路５１に落下したメダル５０は、図３中Ａ方向に案内されることになる。そして、Ｌ字状に屈曲した部分まで落下したメダル５０は、屈曲した部分よりも下流側となるメダル通路５１を図３中Ｂ方向に転動する。なお、メダル通路５１の屈曲した部分よりも下流側に設けられた振り分け装置４６の回動板５３は、スロットマシン２に給電が行われた時点から図３中実線となる位置に保持されている。これにより、メダル通路５１の屈曲した部分よりも下流側となるメダル通路５１を転動するメダル５０が、正規の大きさとなる場合には、転動するメダル５０の上端部が回動板５３に設けられたメダル振り分け部５３ａによって支持されながら、メダル通路５１の下流側へと転動する。
【００４７】
メダル５０の径方向の面の上部端部がメダル振り分け部５３ａによって支持されたメダル５０がさらにメダル通路５１を転動すると、メダル５０の外周がメダル通路５１に突出して設けられた当接片６４の斜面６４ｂに当接する。このとき、当接片６４の斜面６４ｂには、図９中Ｓ方向の押圧力が掛かることになる。
【００４８】
斜面６４ｂは、壁面６４ａに対して下流側に傾斜した面から構成されているので、メダル５０からの当接片６４への押圧力は斜面６４ｂの法線方向（図９中Ｔ方向）と、斜面６４ｂの水平方向（図９中Ｕ方向）とに分解することができる。このうち、図９中Ｔ方向に分解された押圧力によって、当接片６４は図９中Ｘ方向の押圧力を受けることになる。これにより、シャッタ５５が遮蔽位置から図９中Ｆ方向に移動することになる。
【００４９】
メダル通路５１を転動するメダル５０によってシャッタ５５が図９中Ｆ方向に移動すると、当接片６４の斜面６４ｂと先端面との稜線６４ｅがメダル５０の外周に当接され、さらに当接片６４を押し上げることになる。この当接片６４が押し上げられる過程でシャッタ５５の第１遮蔽部６２及び第２遮蔽部６３による導光孔６６，６７の遮蔽が解除され、導光孔６６，６７が露呈されることになる。第１メダルセンサ７５、第２メダルセンサ７６の発光部７５ａ，７６ａは、常に検知光を受光部７５ｂ，７６ｂに向けて発光しているから、導光孔６６，６７が露呈されることによって、検知光が導光孔６６，６７を通過して、受光部７５ｂ，７６ｂにて受光される。これにより、第１メダルセンサ７５、第２メダルセンサ７６がオンとなる。
【００５０】
第１メダルセンサ７５、第２メダルセンサ７６がオンになった後も、メダル５０はメダル通路５１を転動しており、シャッタが図９中Ｆ方向に移動する。そして、転動するメダル５０の径方向の面（メダルの径方向に沿う面）のうち、壁面４５ｃと対峙する面によって導光孔６６が遮蔽されていき、完全に導光孔６６が遮蔽されることによって、第１メダルセンサ７５がオフとなる。そして、図１０に示すように、当接片６４の先端面６４ｄが、メダル５０の外周ののち、最上部となる部分（頂点）に当接すると、シャッタ５５の図９中Ｆ方向への移動が停止され、最大移動位置に到達する。なお、シャッタ５５が最大移動位置に到達すると、シャッタ検知センサ７８がオンとなり、その出力がＣＰＵ９１に出力される。
【００５１】
メダル５０は引き続きメダル通路５１を転動しているから、メダル５０の径方向の面のうち、壁面と対峙する面によって導光孔６７が遮蔽されていく。そして完全に導光孔６７が遮蔽されることによって、第２メダルセンサ７６がオフとなる。なお、当接片６４の先端面６４ｄとメダル５０の外周が当接した後は、当接片６４の先端面６４ｄ及び壁面６４ｃとの稜線６４ｆが、メダル５０の外周と当接される。なお、メダル５０の外周は頂点に到達した後は下り傾斜となるので、シャッタ５５を遮蔽位置に付勢するコイルバネ５６，５７によって、シャッタ５５は最大移動位置から遮蔽位置に向けて（図１０中Ｇ方向に）移動する。これにより、シャッタ検知センサ７８がオンとなる。
【００５２】
第２メダルセンサ７６がオフとなった後、転動するメダル５０の外周が当接片６５の先端面６５ｂ及び先端面６５ｂの稜線６５ｅと当接する。これにより、シャッタの図１０中Ｇ方向の移動が停止される。なお、当接片６５の稜線６５ｅは、メダル５０の外周のうち、最上部（頂点）に向けて上り傾斜している部分に当接されるから、転動するメダル５０の外周によって当接片６５が押し上げられる、つまりシャッタ５５が最大移動位置に向けて（図１１中Ｆ方向に）移動することになる。なお、シャッタ５５が最大移動位置に到達する前に、メダル５０による導光孔６６の遮蔽が解除され、第１メダルセンサ７５がオンとなる。その後、当接片６５の先端面６５ｃがメダル５０の外周のうち、最上部（頂点）と当接されることによって、シャッタ５５が再び最大移動位置に位置し、シャッタ検知センサ７８がオフとなる。
【００５３】
当接片６５がメダル５０の外周の最上部（頂点）に当接した後は、メダル５０の外周が下り傾斜していることから、当接片６５がメダル５０の外周と当接した状態で、且つシャッタ５５がコイルバネ５６，５７の付勢によって最大移動位置から遮蔽位置に向けて（図１２中Ｇ方向に）移動する。これにより、シャッタ検知センサ７８がオンとなる。なお、当接片とメダル５０の外周との当接が解除される前に、メダル５０による導光孔６７の遮蔽が解除されることによって、第２メダルセンサ７６がオンとなる。
【００５４】
そして、メダル５０の外周と当接片との当接が解除される前に、導光孔６６，６７がシャッタ５５の第１遮蔽部６２、第２遮蔽部６３によって遮蔽される。これにより、第１メダルセンサ７５、第２メダルセンサ７６がそれぞれオフとなる。そして、シャッタ５５が遮蔽位置に到達すると、開口５８の内壁面５８ａと溝部６０の壁面６０ａとが当接され、シャッタ５５が遮蔽位置で保持される。
【００５５】
一方、２枚のメダル５０が連続してメダル通路５１を転動する場合がある。この場合、先行するメダル５０によって移動するシャッタ５５の動作は、正規のメダルが投入されたときと同様の動作を行うので、ここでは省略する。そして、先行するメダル５０が当接片６５と当接した状態で、シャッタ５５が遮蔽位置に移動すると、後続するメダル５０が当接片６４の斜面６４ｂと当接することになるので、シャッタ５５の遮蔽位置への移動が停止される。なお、当接片６５は、当接片６４に対して所定の間隔を空けて配置されているから、当接片６５の先端面６５ｃ及び壁面６５ｄの稜線６５ｆが先行するメダル５０に、当接片６４の斜面６４ｂが後続するメダル５０にそれぞれ当接した場合、導光孔６６，６７は露呈されているので、この状態では、第１メダルセンサ７５、第２メダルセンサ７６はオンとなる。その後、先行するメダル５０の外周と当接片６５の先端面６５ｃ及び壁面６５ｄの稜線６５ｆとの当接は解除され、先行するメダル５０は、メダル案内部材５４によって、ホッパー装置３５の貯留タンク３７に貯留される。
【００５６】
一方、後続するメダル５０によって、再びシャッタ５５が最大移動位置まで移動すると、シャッタ検知センサ７８がオフになる。なお、後続するメダル５０と、当接片６４の先端面６４ｄが当接した後のシャッタ及びメダル５０の動きは、上述した動作となるので、ここでは、その詳細を省略する。これにより、図１４、図１５に示すように、正規のメダル５０が投入された場合には、第１メダルセンサ７５がオンとなってからシャッタ検知センサ７８がオフとなり、その後一端シャッタ検知センサ７８はオフとなるが、第２メダルセンサ７６がオンになった後に、再度シャッタ検知センサ７８がオフとなる。また、各メダルセンサにおけるメダル検知から、最大移動位置に到達したシャッタ５５の検知までの時間が同一であることから、メダル通路５１を通過するメダル５０と、各メダル検知センサ、或いはシャッタ検知センサ７８との相対位置を把握することが可能である。
【００５７】
遊技者の中には、メダル投入口２８から正規のメダル５０を投入せずに、ゴト器具を用いて、あたかも正規のメダル５０を投入したように不正な操作を行う者がいる。例えば図１６に示すように、ゴト器具１３０の板の厚みがある場合には、メダル通路５１に突出する当接片６４，６５を押し上げることが可能となる。ゴト器具１３０を、図１６中Ｈ方向に移動させて第１メダルセンサ７５、第２メダルセンサ７６を順次オフさせることができる。しかしながら、シャッタ５５を最大移動位置まで移動させて、ゴト器具１３０を図中Ｈ方向に移動させた場合には、第１メダルセンサ７５がオンとなった後、或いは第１メダルセンサ７５がオンとなる前に、シャッタ検知センサ７８はオフとなるが、第１メダルセンサ７５、第２メダルセンサ７６がゴト器具１３０の先端部１３０ａによってオンオフされている間、シャッタ検知センサ７８がオフのままとなる（図１４参照）。
【００５８】
また、図１７に示すように、ゴト器具１３０によってシャッタを最大移動位置まで移動させずに導光孔６６，６７を露呈させ、正規のメダル５０が通過するタイミングで、第１メダルセンサ７５、第２メダルセンサ７６を順次オフさせる場合が考えられるが、この場合、シャッタ検知センサ７８はオンのままである（図１４参照）。これにより、正規のメダルが投入された場合の各センサのオンオフの状態が異なるから、不正にメダルの投入を行う行為が行われたことを判定することができる。
【００５９】
更に、例えば板が薄いゴト器具１３０の場合には、ゴト器具１３０の先端１３０ａが、当接片６４，６５と当接しても当接片６４，６５の厚みがメダル通路５１の幅よりも狭いので、ゴト器具１３０の当接片６４，６５を押し上げることが難しくなる。これにより、シャッタ１３０は遮蔽位置に保持されたままとなるから、ゴト器具１３０を用いた不正なメダル投入を行わせることを防止することができる。
【００６０】
なお、ゴト器具１３０を改良して第１メダルセンサ７５がオフとなる場合に、シャッタ検知センサ７８をオフさせる、また、第２メダルセンサ７６がオフとなる場合に、シャッタ検知センサ７８をオフさせることができたとしても、第１メダルセンサ７５がオフとなってから、シャッタ検知センサ７８がオフとなる間での経過時間、或いは、第２メダルセンサ７６がオフとなってから、シャッタ検知センサ７８がオフとなる間での経過時間が、正規のメダルが投入された場合の経過時間と同一でなければ、不正にメダルの投入を行う行為が行われたか否かを判定することができる。なお、ＣＰＵ９１によって、不正にメダル投入が行われていることが判定プログラム１１５によって判定された場合には、ＣＰＵ９１はＲＯＭ９２からエラー処理プログラム１１６を読み出して、液晶表示装置１５に警告表示を行わせる、図示しないスピーカによる警報音の再生等を行わせる、或いは遊技場のホストコンピュータに警報信号を出力する。
【００６１】
さらに、ゴト器具１３０を用いて、各センサのオンオフを正規のメダル５０が投入された場合と同一のタイミングで行われる場合もある。図１８に示すように、例えばゴト器具１３０の先端部１３０ａの幅が、当接片６４，６５の先端面６４ｄ，６５ｃからメダル通路５１の底面との距離よりも大きい場合には、ゴト器具１３０の先端部１３０ａが当接片６５によって係止され、図１８中Ｊ方向に移動させることができなくなるので、ゴト器具１３０をメダル投入口２８から抜き出すことができなくなる。これにより、不正を行おうとする遊技者は、ゴト器具１３０を懸命に抜き出そうとするから、周囲に不正にメダルを投入する行為をしていることを認識させることができる。また、ゴト器具１３０をメダル投入口２８から抜き出すことを諦めたとしても、ゴト器具を使用したことが周囲にわかるので、ゴト器具を用いて不正にメダルの投入を行おうとする行為を防止することができる。
【００６２】
本実施形態では、メダル通路に突出する当接片をシャッタに設け、メダル通路を転動するメダルを当接片に当接させ、転動するメダルの勢いを利用してシャッタを押し上げる要にしたが、これに限定する必要はなく、例えば、シャッタの第１遮蔽部をメダル通路に突出させ、メダルを第１遮蔽部に当接させた後に、メダルの勢いを利用してシャッタを押し上げることも可能である。
【００６３】
本実施形態では、シャッタの移動方向は、メダルの径方向の面に平行となり、且つメダルの転動方向と直交する方向としたが、これに限定する必要はなく、メダルの転動方向にスライドし、かつそのスライドする過程で、当接片がメダル通路から退避するようにしてもよい。
【００６４】
本実施形態では、導通孔の位置は、メダル通路の上端部としたが、これに限定する必要はなく、メダル通路の下端部に設けることも可能である。
【００６５】
本実施形態では、不正検出装置をスロットマシンに組み込んだ場合についての例を取り上げたが、これに限定する必要はなく、メダルやコインを投入する他の遊技機や装置に本発明の不正検出装置を組み込むことが可能である。
【００６６】
本実施形態では、連続してメダルが投入された時に、先行するメダルがメダル通路のうち、シャッタが配置される箇所を通過する過程で、一端シャッタを最大移動位置から、遮蔽位置と最大移動位置との間であり、導光孔が露呈する位置まで移動させたときに、後続するメダルの外周と上流側の当接片とが当接するようにしたが、これに限定する必要はなく、例えば先行するメダルが通過した後に、一端シャッタを遮蔽位置まで移動させるようにしてもよい。
【図面の簡単な説明】
【００６７】
【図１】本発明のスロットマシンの外観を示す斜視図である。
【図２】スロットマシン内部の構成を示す斜視図である。
【図３】メダルセレクタの構成を示す斜視図である。
【図４】シャッタ装置の構成を示す斜視図である。
【図５】シャッタの後面側の構成を示す斜視図である。
【図６】遮蔽位置にあるシャッタと、メダルセンサ、シャッタ検知センサとの位置関係を示す斜視図である。
【図７】最大移動位置にあるシャッタと、メダルセンサ、シャッタ検知センサとの位置関係を示す斜視図である。
【図８】スロットマシンの電気的構成を示す機能ブロック図である。
【図９】メダルが上流側の当接片に当接した状態を示す正面図である。
【図１０】シャッタが最大移動位置まで移動した状態を示す正面図である。
【図１１】メダルが下流側の当接片に当接した状態を示す正面図である。
【図１２】シャッタが再度最大移動位置まで移動した状態を示す正面図である。
【図１３】上流側の当接片が後続するメダルに、下流側の当接片が先行するメダルにそれぞれ当接された状態を示す正面図である。
【図１４】第１メダルセンサ、第２メダルセンサ及びシャッタ検知センサのオンオフの状態を示すタイミングチャートである。
【図１５】メダルが連続して投入された場合の第１メダルセンサ、第２メダルセンサ及びシャッタ検知センサのオンオフの状態を示すタイミングチャートである。
【図１６】ゴト器具を用いて、シャッタを最大移動位置まで移動させ、不正にメダルの投入動作を行わせる場合の一例を示す正面図である。
【図１７】ゴト器具を用いて、シャッタを最大移動位置まで移動させずに、不正にメダルの投入動作を行わせる場合の一例を示す正面図である。
【図１８】当接片によって、ゴト器具をメダル投入口から抜き出せないようにした場合の一例を示す正面図である。
【符号の説明】
【００６８】
２  スロットマシン
２８  メダル投入口
４０  メダルセレクタ（不正検出装置）
４７  シャッタ装置
５０  メダル
５１  メダル通路
５５シャッタ（遮蔽部材）
５６，５７  コイルバネ（付勢手段）
６４，６５当接片（突起）
６４ｂ，６５ｂ  斜面
６６，６７  導光孔
６４ｃ，６５ｄ  壁面（逆流防止面）
７５  第１メダルセンサ（光センサ）
７６  第２メダルセンサ（光センサ）
７８  シャッタ検知センサ
９０  制御装置（不正検出装置）
９１  ＣＰＵ（判定手段）
【図１】
2006247049.tif 000003
【図２】
2006247049.tif 000004
【図３】
2006247049.tif 000005
【図４】
2006247049.tif 000006
【図５】
2006247049.tif 000007
【図６】
2006247049.tif 000008
【図７】
2006247049.tif 000009
【図８】
2006247049.tif 000010
【図９】
2006247049.tif 000011
【図１０】
2006247049.tif 000012
【図１１】
2006247049.tif 000013
【図１２】
2006247049.tif 000014
【図１３】
2006247049.tif 000015
【図１４】
2006247049.tif 000016
【図１５】
2006247049.tif 000017
【図１６】
2006247049.tif 000018
【図１７】
2006247049.tif 000019
【図１８】
2006247049.tif 000020